(57)【特許請求の範囲】
【請求項１】
本体を含み、前記本体の中には下方に開口した底部空間を含み、前記底部空間の中にはコンドームを固定できる固定装置が設置され、前記固定装置は前記底部空間の上壁に回転可能に装着されたスプラインスリーブを含み、前記スプラインスリーブには駆動歯車が固定的に設置され、前記スプラインスリーブの中には昇降軸がスライド可能に連結され、前記昇降軸の中には中空水管が設置され、前記昇降軸の下側には固定軸が設置され、前記固定軸の外周には連結ブロックが固定的に設置され、前記連結ブロックの外周には環状空間が設置され、前記固定軸の中には駆動空間が設置され、前記昇降軸が前記駆動空間の上壁とスライド可能に連結され、前記昇降軸の底側には前記駆動空間とスライド可能に連結された回転盤が固定的に設置され、前記駆動空間の外周にはさらにスライド空間が設置され、前記スライド空間の内壁内部には六つの伸縮棒がスライド可能に連結され、前記伸縮棒の片側には伸縮ブロックが固定的に設置され、前記伸縮棒の他側には前記駆動空間の内壁とスライド可能に連結された押しブロック固定的に設置され、前記押しブロックが前記回転盤とスライド可能に連結され、各前記伸縮棒にはそれぞれ連結棒が固定的に設置され、前記連結棒には凹棒と凸棒とがそれぞれ回転可能に連結され、各前記凹棒が隣接する前記凸棒とスライド可能に連結され、前記凹棒と隣接する前記凸棒とが小型ばねによって連結され、前記底部空間の上壁には動力空間が設置され、前記動力空間の上側には頂部空間が設置され、前記動力空間と前記頂部空間との間には前記駆動歯車の回転を駆動できる動力装置が設置され、前記底部空間の左右側壁には昇降空間が対称になるように設置され、前記昇降空間と前記頂部空間の中には前記固定軸を上下に移動させられる昇降装置が設置され、前記本体の中にはさらに水を噴出できる噴水装置が設置され、前記本体の左右側面にはブラケットが対称になるように且つ固定的に設置され、前記ブラケットの底面には台座が固定的に設置され、前記台座の中にはコンドームの性能を測定できる測定装置が設置されていることを特徴とする家族計画用品の強度と密閉性の測定装置。
【請求項２】
前記動力装置は前記動力空間の中に固定的に装着された固定モータを含み、前記固定モータの中にはモータ軸が伝動可能に連結され、前記モータ軸の上下側にはモータ歯車と伝動歯車とがそれぞれラチェットにより連結され、前記伝動歯車と前記モータ歯車の中のラチェットは方向が反対であることを特徴とする請求項１に記載の家族計画用品の強度と密閉性の測定装置。
【請求項３】
前記昇降装置は前記頂部空間の上下側壁と前記動力空間の上壁との間に回転可能に装着された貫通軸を含み、前記貫通軸には大型歯車が固定的に設置され、前記貫通軸の底側には前記モータ歯車と噛み合った従動歯車が固定的に設置され、前記頂部空間の上下側壁と前記昇降空間の上壁との間には縦軸が左右対称になるように且つ回転可能に連結され、前記頂部空間の中において前記縦軸には前記大型歯車と噛み合った対称歯車がそれぞれ固定的に設置され、前記縦軸の底側にはローラが固定的に設置され、前記ローラの中には前記環状空間とスライド可能に連結された連結スライドロッドがスライド可能に連結されていることを特徴とする請求項１に記載の家族計画用品の強度と密閉性の測定装置。
【請求項４】
前記噴水装置は前記底部空間の上側に設置された水箱を含み、前記水箱の後側壁には加水口が設置され、前記水箱と前記スプラインスリーブとは揚水ポンプによって連結されていることを特徴とする請求項１に記載の家族計画用品の強度と密閉性の測定装置。
【請求項５】
前記測定装置は前記台座の中に設置された測定空間を含み、前記測定空間の左右側には開口スライド溝が対称になるように形成され、前記開口スライド溝の底側には連動空間が設置され、前記連動空間と前記開口スライド溝とは引っ掛かり溝によって連結され、前記開口スライド溝の中には測量棒がスライド可能に連結され、前記測量棒の中には前記引っ掛かり溝とスライド可能に連結できる台形ブロックがスライド可能に連結され、前記台形ブロックと前記測量棒とは台形ブロックばねによって連結され、前記連動空間の左右側壁と前記台座の右側面との間には親ねじが回転可能に連結され、前記親ねじの右側にはつまみが固定的に設置され、前記連動空間の中において前記親ねじには押しブロックが左右対称になるように且つねじ山により連結され、前記連動空間の中にはそれぞれ昇降ブロックがスライド可能に連結され、前記昇降ブロックと前記押しブロックとがスライド可能に連結され、前記昇降ブロックの上面には前記引っ掛かり溝とスライド可能に連結された復帰ブロックが固定的に設置され、前記測定空間の後側壁には排水口が設置され、前記測定空間の中において前記測量棒にはばねブロックが固定的に設置され、前記ばねブロックと前記測定空間とは連結ばねによって連結されていることを特徴とする請求項１に記載の家族計画用品の強度と密閉性の測定装置。
【発明の詳細な説明】
【技術分野】
【０００１】
本願発明は家族計画用品分野を取り上げて、具体的には家族計画用品の強度と密閉性の測定装置である。
【背景技術】
【０００２】
コンドームは、ゴム（ラテックス）やポリウレタンの薄膜でできた避妊具であり、先端部は精液を溜めるための小さな袋状突起を有するものが多い。避妊具として、コンドームはほかの避妊手段に比べて使用が便利で、副作用がない。また、避妊の成功率は通常８５％で、特別な訓練を受けたユーザーは避妊の成功率を９８％にすることができる。コンドームを生産した後、抜取検査を行わなければならない。また、強度測定も行う必要がある。しかし、従来の検査手段は、一回で強度または密閉性の一つしか測定できない。
【先行技術文献】
【特許文献】
【０００３】
【特許文献１】中国特許出願公開第１０７５６０７９５号明細書
【発明の概要】
【発明が解決しようとする課題】
【０００４】
本願は家族計画用品の強度と密閉性の測定装置を提供し、従来技術における上記欠点を解消することを目的とする。
【課題を解決するための手段】
【０００５】
上記の問題を解決するために、本願は以下の技術プランを提供する：本願に記載の家族計画用品の強度と密閉性の測定装置は、本体を含み、前記本体の中には下方に開口した底部空間を含み、前記底部空間の中にはコンドームを固定できる固定装置が設置され、前記固定装置は前記底部空間の上壁に回転可能に装着されたスプラインスリーブを含み、前記スプラインスリーブには駆動歯車が固定的に設置され、前記スプラインスリーブの中には昇降軸がスライド可能に連結され、前記昇降軸の中には中空水管が設置され、前記昇降軸の下側には固定軸が設置され、前記固定軸の外周には連結ブロックが固定的に設置され、前記連結ブロックの外周には環状空間が設置され、前記固定軸の中には駆動空間が設置され、前記昇降軸が前記駆動空間の上壁とスライド可能に連結され、前記昇降軸の底側には前記駆動空間とスライド可能に連結された回転盤が固定的に設置され、前記駆動空間の外周にはさらにスライド空間が設置され、前記スライド空間の内壁内部には六つの伸縮棒がスライド可能に連結され、前記伸縮棒の片側には伸縮ブロックが固定的に設置され、前記伸縮棒の他側には前記駆動空間の内壁とスライド可能に連結された押しブロック固定的に設置され、前記押しブロックが前記回転盤とスライド可能に連結され、各前記伸縮棒にはそれぞれ連結棒が固定的に設置され、前記連結棒には凹棒と凸棒とがそれぞれ回転可能に連結され、各前記凹棒が隣接する前記凸棒とスライド可能に連結され、前記凹棒と隣接する前記凸棒とが小型ばねによって連結され、前記底部空間の上壁には動力空間が設置され、前記動力空間の上側には頂部空間が設置され、前記動力空間と前記頂部空間との間には前記駆動歯車の回転を駆動できる動力装置が設置され、前記底部空間の左右側壁には昇降空間が対称になるように設置され、前記昇降空間と前記頂部空間の中には前記固定軸を上下に移動させられる昇降装置が設置され、前記本体の中にはさらに水を噴出できる噴水装置が設置され、前記本体の左右側面にはブラケットが対称になるように且つ固定的に設置され、前記ブラケットの底面には台座が固定的に設置され、前記台座の中にはコンドームの性能を測定できる測定装置が設置されている。
【０００６】
上記の技術プランに基づき、前記動力装置は前記動力空間の中に固定的に装着された固定モータを含み、前記固定モータの中にはモータ軸が伝動可能に連結され、前記モータ軸の上下側にはモータ歯車と伝動歯車とがそれぞれラチェットにより連結され、前記伝動歯車と前記モータ歯車の中のラチェットは方向が反対である。
【０００７】
上記の技術プランに基づき、前記昇降装置は前記頂部空間の上下側壁と前記動力空間の上壁との間に回転可能に装着された貫通軸を含み、前記貫通軸には大型歯車が固定的に設置され、前記貫通軸の底側には前記モータ歯車と噛み合った従動歯車が固定的に設置され、前記頂部空間の上下側壁と前記昇降空間の上壁との間には縦軸が左右対称になるように且つ回転可能に連結され、前記頂部空間の中において前記縦軸には前記大型歯車と噛み合った対称歯車がそれぞれ固定的に設置され、前記縦軸の底側にはローラが固定的に設置され、前記ローラの中には前記環状空間とスライド可能に連結された連結スライドロッドがスライド可能に連結されている。
【０００８】
上記の技術プランに基づき、前記噴水装置は前記底部空間の上側に設置された水箱を含み、前記水箱の後側壁には加水口が設置され、前記水箱と前記スプラインスリーブとは揚水ポンプによって連結されている。
【０００９】
上記の技術プランに基づき、前記測定装置は前記台座の中に設置された測定空間を含み、前記測定空間の左右側には開口スライド溝が対称になるように形成され、前記開口スライド溝の底側には連動空間が設置され、前記連動空間と前記開口スライド溝とは引っ掛かり溝によって連結され、前記開口スライド溝の中には測量棒がスライド可能に連結され、前記測量棒の中には前記引っ掛かり溝とスライド可能に連結できる台形ブロックがスライド可能に連結され、前記台形ブロックと前記測量棒とは台形ブロックばねによって連結され、前記連動空間の左右側壁と前記台座の右側面との間には親ねじが回転可能に連結され、前記親ねじの右側にはつまみが固定的に設置され、前記連動空間の中において前記親ねじには押しブロックが左右対称になるように且つねじ山により連結され、前記連動空間の中にはそれぞれ昇降ブロックがスライド可能に連結され、前記昇降ブロックと前記押しブロックとがスライド可能に連結され、前記昇降ブロックの上面には前記引っ掛かり溝とスライド可能に連結された復帰ブロックが固定的に設置され、前記測定空間の後側壁には排水口が設置され、前記測定空間の中において前記測量棒にはばねブロックが固定的に設置され、前記ばねブロックと前記測定空間とは連結ばねによって連結されている。
【発明の効果】
【００１０】
本願発明は自動的に加工済みのコンドームに対して強度や引っ張り性、密閉性などの検査を行い、コンドームが摩擦された後に安定しているかどうかを確認するために強度検査を行い、コンドームが異なる人に適用するかどうかを確認するために引っ張り性検査を行い、また、避妊の成功を保証するために密閉性検査を行い、これらの検査でコンドームの品質をより精確に測定でき、従来の単一機能しか有さない測定装置に比べて、機能が多様であり、その他、機械装置を利用して作業を行うため、安定性が保証される。
【図面の簡単な説明】
【００１１】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本願発明の全体断面の正面構成模式図
【図２】図２は図１におけるＡの局部拡大図
【図３】図３は図１におけるＢ―Ｂ方向からの断面図
【発明を実施するための形態】
【００１３】
図１〜３を参照し、本願に記載の家族計画用品の強度と密閉性の測定装置は、本体２１を含み、前記本体２１の中には下方に開口した底部空間４７を含み、前記底部空間４７の中にはコンドームを固定できる固定装置１０１が設置され、前記固定装置１０１は前記底部空間４７の上壁に回転可能に装着されたスプラインスリーブ３３を含み、前記スプラインスリーブ３３には駆動歯車３２が固定的に設置され、前記スプラインスリーブ３３の中には昇降軸５１がスライド可能に連結され、前記昇降軸５１の中には中空水管５２が設置され、前記昇降軸５１の下側には固定軸５８が設置され、前記固定軸５８の外周には連結ブロック５９が固定的に設置され、前記連結ブロック５９の外周には環状空間６０が設置され、前記固定軸５８の中には駆動空間６７が設置され、前記昇降軸５１が前記駆動空間６７の上壁とスライド可能に連結され、前記昇降軸５１の底側には前記駆動空間６７とスライド可能に連結された回転盤６６が固定的に設置され、前記駆動空間６７の外周にはさらにスライド空間７３が設置され、前記スライド空間７３の内壁内部には六つの伸縮棒５７がスライド可能に連結され、前記伸縮棒５７の片側には伸縮ブロック５６が固定的に設置され、前記伸縮棒５７の他側には前記駆動空間６７の内壁とスライド可能に連結された押しブロック６５固定的に設置され、前記押しブロック６５が前記回転盤６６とスライド可能に連結され、各前記伸縮棒５７にはそれぞれ連結棒６１が固定的に設置され、前記連結棒６１には凹棒６２と凸棒６３とがそれぞれ回転可能に連結され、各前記凹棒６２が隣接する前記凸棒６３とスライド可能に連結され、前記凹棒６２と隣接する前記凸棒６３とが小型ばね６４によって連結され、前記底部空間４７の上壁には動力空間７４が設置され、前記動力空間７４の上側には頂部空間２２が設置され、前記動力空間７４と前記頂部空間２２との間には前記駆動歯車３２の回転を駆動できる動力装置１０２が設置され、前記底部空間４７の左右側壁には昇降空間３４が対称になるように設置され、前記昇降空間３４と前記頂部空間２２の中には前記固定軸５８を上下に移動させられる昇降装置１０３が設置され、前記本体２１の中にはさらに水を噴出できる噴水装置１０４が設置され、前記本体２１の左右側面にはブラケット４６が対称になるように且つ固定的に設置され、前記ブラケット４６の底面には台座４５が固定的に設置され、前記台座４５の中にはコンドームの性能を測定できる測定装置１０５が設置されている。
【００１４】
前記動力装置１０２は前記動力空間７４の中に固定的に装着された固定モータ５０を含み、前記固定モータ５０の中にはモータ軸４９が伝動可能に連結され、前記モータ軸４９の上下側にはモータ歯車２５と伝動歯車４８とがそれぞれラチェットにより連結され、前記伝動歯車４８と前記モータ歯車２５の中のラチェットは方向が反対であり、前記モータ軸４９が正回転すると前記伝動歯車４８を回転させ、前記モータ軸４９が逆回転すると前記モータ歯車２５を回転させ、また、前記固定モータ５０を正回転させると、前記モータ軸４９と前記伝動歯車４８とが回転し、前記固定モータ５０を逆回転させると、前記モータ軸４９と前記モータ歯車２５とが回転する。
【００１５】
前記昇降装置１０３は前記頂部空間２２の上下側壁と前記動力空間７４の上壁との間に回転可能に装着された貫通軸２７を含み、前記貫通軸２７には大型歯車２６が固定的に設置され、前記貫通軸２７の底側には前記モータ歯車２５と噛み合った従動歯車２８が固定的に設置され、前記頂部空間２２の上下側壁と前記昇降空間３４の上壁との間には縦軸２４が左右対称になるように且つ回転可能に連結され、前記頂部空間２２の中において前記縦軸２４には前記大型歯車２６と噛み合った対称歯車２３がそれぞれ固定的に設置され、前記縦軸２４の底側にはローラ５４が固定的に設置され、前記ローラ５４の中には前記環状空間６０とスライド可能に連結された連結スライドロッド５３がスライド可能に連結され、
前記モータ歯車２５が回転すると、前記従動歯車２８と、前記貫通軸２７と、前記大型歯車２６と、前記対称歯車２３と、前記縦軸２４と、前記ローラ５４とを回転させることで、前記連結スライドロッド５３と、前記連結ブロック５９と、前記固定軸５８とが上下に移動する。
【００１６】
前記噴水装置１０４は前記底部空間４７の上側に設置された水箱３０を含み、前記水箱３０の後側壁には加水口２９が設置され、前記水箱３０と前記スプラインスリーブ３３とは揚水ポンプ３１によって連結され、
前記揚水ポンプ３１を作動させると、前記水箱３０の中の水が前記スプラインスリーブ３３の中に吸い込まれて前記中空水管５２の中に入る。
【００１７】
前記測定装置１０５は前記台座４５の中に設置された測定空間３６を含み、前記測定空間３６の左右側には開口スライド溝７６が対称になるように形成され、前記開口スライド溝７６の底側には連動空間４２が設置され、前記連動空間４２と前記開口スライド溝７６とは引っ掛かり溝７１によって連結され、前記開口スライド溝７６の中には測量棒７７がスライド可能に連結され、前記測量棒７７の中には前記引っ掛かり溝７１とスライド可能に連結できる台形ブロック６８がスライド可能に連結され、前記台形ブロック６８と前記測量棒７７とは台形ブロックばね６９によって連結され、前記連動空間４２の左右側壁と前記台座４５の右側面との間には親ねじ３８が回転可能に連結され、前記親ねじ３８の右側にはつまみ３５が固定的に設置され、前記連動空間４２の中において前記親ねじ３８には押しブロック４３が左右対称になるように且つねじ山により連結され、前記連動空間４２の中にはそれぞれ昇降ブロック４４がスライド可能に連結され、前記昇降ブロック４４と前記押しブロック４３とがスライド可能に連結され、前記昇降ブロック４４の上面には前記引っ掛かり溝７１とスライド可能に連結された復帰ブロック７０が固定的に設置され、前記測定空間３６の後側壁には排水口３７が設置され、前記測定空間３６の中において前記測量棒７７にはばねブロック３９が固定的に設置され、前記ばねブロック３９と前記測定空間３６とは連結ばね４１によって連結され、
前記復帰ブロック７０が前記引っ掛かり溝７１に引っ掛かっていないと、前記固定軸５８が上下に移動して前記ばねブロック３９を左右に移動させることで、コンドームが長時間摩擦された後の安定性を測定でき、また、前記つまみ３５を回し、前記押しブロック４３が連動して右方へ移動し、前記昇降ブロック４４と前記引っ掛かり溝７１とが自重で下方へスライドすることで、前記復帰ブロック７０が前記引っ掛かり溝７１から離脱し、この時に前記中空水管５２により水をコンドームに吹付け、コンドームが膨張し、即ちコンドームの密閉性を測定でき、コンドームの中の水が増えていくと、前記ばねブロック３９が左右側へ移動することで、前記台形ブロック６８が前記引っ掛かり溝７１に引っ掛かり、前記台形ブロック６８は片側面が斜面であるため、片方向へのスライドが可能であり、反対方向へ移動すると位置が制限され、コンドームは水圧を耐えなくて破裂すると、コンドームが前記ばねブロック３９により前記測量棒７７を移動させることはできず、即ち前記測量棒７７の伸びた長さを読み取ることでコンドームの極限弾性がわかるようになる。
【００１８】
初期状態において、加水口２９から水箱３０の中に水を入れ、復帰ブロック７０が引っ掛かり溝７１の中に位置していない。
【００１９】
コンドームにテストを行うには、コンドームを固定軸５８と伸縮ブロック５６に被り、そして固定モータ５０を正回転させることで、モータ軸４９と、伝動歯車４８と、駆動歯車３２と、スプラインスリーブ３３と、昇降軸５１と、回転盤６６とが回転し、六つの押しブロック６５を移動させることで、伸縮棒５７と伸縮ブロック５６とを突き出し、そして伸縮ブロック５６は直径が調節されて規格の異なるコンドームに適用でき、続いて、固定モータ５０を逆回転させることで、モータ軸４９とモータ歯車２５とが回転し、従動歯車２８と、貫通軸２７と、大型歯車２６と、対称歯車２３と、縦軸２４と、ローラ５４とを回転させることで、連結スライドロッド５３と、連結ブロック５９と、固定軸５８とが上下に移動し、固定軸５８の上下移動によりばねブロック３９が連動して左右に移動し、コンドームが長時間摩擦された後の安定性を測定でき、また、つまみ３５を回し、押しブロック４３が連動して右方へ移動し、昇降ブロック４４と引っ掛かり溝７１とが自重で下方へスライドすることで、復帰ブロック７０が引っ掛かり溝７１から離脱し、揚水ポンプ３１を作動させ、水箱３０の中の水はスプラインスリーブ３３に吸い込まれて中空水管５２の中に入り、中空水管５２により水をコンドームに吹付け、コンドームが膨張し、即ちコンドームの密閉性を測定でき、コンドームの中の水が増えていくと、ばねブロック３９が左右側へ移動することで、台形ブロック６８が引っ掛かり溝７１に引っ掛かり、台形ブロック６８は片側面が斜面であるため、片方向へのスライドが可能であり、反対方向へ移動すると位置が制限され、コンドームは水圧を耐えなくて破裂すると、コンドームがばねブロック３９により測量棒７７を移動させることはできず、即ち測量棒７７の伸びた長さを読み取ることでコンドームの極限弾性がわかるようになり、最後に本願発明を復帰させるにはつまみ３５を逆方向へ回せば良い。
【００２０】
以上の方式により、当該分野の従業員は本願発明の範囲内で作業状況に応じて様々な改変を加えることができる。
【要約】      （修正有）【課題】本願は家族計画用品の強度と密閉性の測定装置を開示した。【解決手段】本願に記載の家族計画用品の強度と密閉性の測定装置は、本体を含み、前記本体の中には下方に開口した底部空間を含み、前記底部空間の中にはコンドームを固定できる固定装置が設置され、本願発明は自動的に加工済みのコンドームに対して強度や引っ張り性、密閉性などの検査を行い、コンドームが摩擦された後に安定しているかどうかを確認するために強度検査を行い、コンドームが異なる人に適用するかどうかを確認するために引っ張り性検査を行い、また、避妊の成功を保証するために密閉性検査を行い、これらの検査でコンドームの品質をより精確に測定でき、従来の単一機能しか有さない測定装置に比べて、機能が多様であり、その他、機械装置を利用して作業を行うため、安定性が保証される。【選択図】図１【図１】
0006807509.tif 000002
【図２】
0006807509.tif 000003
【図３】
0006807509.tif 000004